(57)【特許請求の範囲】
【請求項１】
経皮注入用の針の安全な取扱いのための突き刺し防止器具であって、
この器具はベースプレート部と針支持プレート部とからなる２枚のプレート部を備え、これらのプレート部は互いに重なりあうように配置されると共に、前記器具が、該２枚のプレート部が互いに密着している形態から、それらが互いに離間していてそれらの間に空間を有する形態へと形態を変化させることができるように、該２枚のプレート部は連結部により互いに連結されており、
前記針支持プレート部は針を支えることができ、前記ベースプレート部は、注入地点付近で皮膚に押しつけられることができ、かつ針の皮膚に穿刺される部分を通すことができる穴を有しており、前記空間は、針を皮膚および前記の穴から抜き取る際に、前記針の穿刺部分を、この穿刺部分が抜き取られたとたんにこの空間内に確実に入り込むことができる大きさであると共に、
前記器具は単一の壁部材により形成され、この壁部材は、前記ベースプレート部を構成する中央区分と、前記針支持プレート部を構成する針支持区分と、末端区分と、複数の連結区分とを含む、複数の区分に該壁部材を分割する複数の折り線を有し、壁部材の前記末端区分は２つの細長い貫通穴を有しており、かつその前記針支持区分は２つの横向きの取っ手部を備えていて、これら２つの取っ手部は、それらを該針支持区分に対して直角に折り曲げて互いに向かいあうように位置させることができ、かつ該針支持区分に該末端区分を押しつけた時に該末端区分の前記貫通孔の中に導入することができる、突き刺し防止器具。
【請求項２】
針を押し込み、かつ２枚のプレート部を引き離すために、器具を手で持つのをより容易にする手段を備える、請求項１記載の器具。
【請求項３】
前記針支持プレート部が、針を皮膚に押し込み、かつ２枚のプレート部をより近づけるか、より引き離すために、器具をつかむことができるようにするグリップ手段を備える、請求項２記載の器具。
【請求項４】
前記針支持プレート部が、器具をつかむことができるように上向きに起こすことができる２つの取っ手部を有する、請求項１から３のいずれかに記載の器具。
【請求項５】
前記針が、前記穿刺部分を一方の枝部とするひじ状屈曲形状を形成し、前記壁部材の末端区分が、穿刺部分ではない方の針の他方の枝部を受け入れる凹部を有する、請求項１から４のいずれかに記載の器具。
【請求項６】
前記ベースプレート部が２つの横向きウィング部を有する、請求項１〜５のいずれかに記載の器具。
【請求項７】
前記ベースプレート部と前記針支持プレート部が、前記針の穿刺部分を通過させることができる穴をそれぞれ有する、請求項１から６のいずれかに記載の器具。
【請求項８】
前記壁部材が合成材料製のブランクシートから裁断されたものである、請求項１〜７のいずれかに記載の器具。
【請求項９】
遠方側の穿刺用枝部と手前側の供給用枝部とを有する、経皮注入用のひじ状に屈曲した針の安全な取扱いのための突き刺し防止器具であって、
この器具は、単一の折ることができる硬さを持つ壁部材からなり、この壁部材は、これをベース壁区分、針支持壁区分および末端区分に分割する複数の折り線を有し、前記ベース壁区分と前記針支持壁区分はそれぞれ針の穿刺用枝部が通過することができる穴を有しており、
前記壁部材は、前記ベース壁区分と前記針支持壁区分が互いに密着して、これらの区分のそれぞれの穴が針の穿刺用枝部を受け入れるために重なり合い、かつ前記p末端壁区分が針の手前側の枝部の上に折り返されて前記針支持壁区分に固定されることができる第１の形態に折ることができ、かつ
前記壁部材は、前記ベース壁区分と前記針支持壁区分が、針を皮膚から抜き取った時にそれら２つの区分の間に針の穿刺用枝部を受け入れるために、それら２つの区分が互いに離間している第２の形態に折り曲げることもでき、
前記針支持壁区分は、針の穿刺用枝部の皮膚内への押し込みと、この穿刺用枝部の皮膚からの抜き取りを可能にするためのグリップを形成するように上向きに起こすことができる２つの横向きの取っ手部を備えている、
突き刺し防止器具。
【請求項１０】
前記末端壁区分が、前記針の手前側の枝部を受け入れる凹部を有する、請求項９記載の器具。
【請求項１１】
前記末端壁区分が、それぞれ前記取っ手部を通すことができる２つの細長い貫通穴を有している、請求項９または１０に記載の器具。
【請求項１２】
前記ベース壁区分が２つの横向きウィング部を有する、請求項９〜１１のいずれかに記載の器具。
【請求項１３】
前記壁部材が合成材料製のブランクシートから裁断されたものである、請求項９〜１２のいずれかに記載の器具。
【発明の詳細な説明】
【０００１】
【発明の属する技術分野】
本発明は、医療分野で使用される皮膚に穿刺する注入用の針の安全な取扱いのための突き刺し防止器具に関する。
【０００２】
【発明が解決しようとする課題】
本発明の目的は、比較的安価で、製造が容易であり、１回使用に適した、上記突き刺し防止器具を提供することである。
【０００３】
【課題を解決するための手段】
本発明に係る注入用の針の突き刺し防止器具は、互いに重なりあうように配置され、かつ連結部（以下、リンク部材という) により互いに固定された、２枚のプレート部（以下、プレート部材ともいう）により形成される。この２枚のプレート部材の固定は、この器具が、２枚のプレート部材が互いに押し合う密着形態から、それらが互いに離間して、それらの間に、前記リンク部材により囲まれた空間を作り出す離間形態に変化することができるように構成されている。プレート部材の一方は、針を支えるのに適した針を支えるプレート部（針支持プレート部）であって、他方のプレート部材は、ベースプレート部であって、注入地点付近で皮膚に押しつけるのに適しており、かつ針の皮膚に穿刺する部分を通すことができる穴を有している。前記空間は、針を皮膚および前記の穴から抜き取る際に、前記針の穿刺部分を、これが抜き取られたとたんに、この空間内に確実に入り込ませることができるのに十分な大きさである。
【０００４】
本発明の好適態様にあっては、上記器具は、下記の追加の特徴の１または２以上を有する。
・２枚のプレート部材の間のリンク部材が、折り線により区切られてつながっている複数のパネルにより形成されている。
【０００５】
・器具が、針を押し込み、かつ２枚のプレート部材を引き離すために、器具を手で持つのをより容易にする手段を備える。
・ベースプレート部材が、これを皮膚により容易に押しつけることができるようにする複数の横向きウィング部を有する。
【０００６】
・針を支えるプレート部材が、器具をつかむことができるように上向きに起こすことができる２つの取っ手部を有する。
・針を支えるプレート部材が、前記針の穿刺部分を通すことができる穴を有する。
【０００７】
・針を支えるプレート部材が、前記針の穿刺部分と共にひじ状屈曲を形成している、針の一方の直線状の枝部を受け入れる凹部を有する。
【０００８】
【発明の実施の形態】
本発明に係る突き刺し防止器具の１態様を、添付図面を参照しながら、以下に説明する。但し、これは本質的に例示を目的とするものであり、本発明はこの態様に制限されるものではない。
【０００９】
添付図面に示した器具は、単一 (１枚) の壁部材、例えば、合成材料製のブランクシートから裁断された半硬質(semi-rigid)シート（例えば、プラスチックシート）から形成される。
この単一の壁部材は、５本の平行な折り線を形成する、脆弱にする線(1〜5)を有しており、この５本の折り線により、壁部材は、６個の連続してつながったパネル (Ａ, Ｂ, Ｃ, Ｄ, Ｅ, Ｆ) に分割される。パネル (Ｆ) と (Ｄ) は、それぞれ、針を支えるプレート部材と、ベースプレート部材を構成し、パネル (Ｂ), (Ｃ) および (Ｅ) は、これら２つのパネル (Ｆ, Ｄ) の間をつなぐ接続パネルを構成し、パネル (Ａ) は、針を支えるプレート部材 (Ｆ) に接着剤による接合または溶接 (融着) によって固定するのに適したパネルを構成する。
【００１０】
図１に示すように平らに置いた、これらひと続きのパネルの両側の末端パネルのうち、一方のパネル (Ａ) は、２つの細長い貫通穴(7, 8)を平行に有しており、平らに置いたひと続きのパネルの反対側の末端パネル (Ｆ) は、２つの横向きの取っ手部(9, 10) を備えていて、これらの取っ手部は、このパネルに対して直角に折り曲げて、互いに向かいあうように位置させることができ (図４) 、さらに、この２つのパネル (Ａ, Ｆ) を互いに押しつけ合った時に、これらの取っ手部をパネル (Ａ) の貫通穴の中に導入することができる (図５) 。この２つのパネルは、接着剤による接合または融着により、一体にくっつけて保持される (図６) 。図１〜５には、このようにして互いに固定されるこれら２つのパネルの固定領域 (Ｚ) を点描により示した。
【００１１】
図２では、末端区分 (Ｆ) は折り線(5) に沿って折り曲げられているが、反対側の末端区分 (Ａ) はまだ折り曲げられていない。
図５では、末端区分 (Ａ) が折り線(2) に沿って折り曲げられる途中であるが、まだ中央区分 (Ｄ) に密着するように完全には折り返されていない。２つの取っ手部(9, 10) は既に貫通穴(7, 8)の中に入り込んでいる。
【００１２】
図示の態様では、中央区分 (Ｄ) は、２つの横向きウィング部(11, 12)を有しており、これらは、末端区分 (Ｆ) を中央区分 (Ｄ) に当たるように折り返した時に、この末端区分の取っ手部(9, 10) がこれらのウィング部に当たるようになっている。また、末端区分 (Ｆ) の中央部(13)の厚みが中央区分 (Ｄ) の中央部(14)の厚みに加わって、この部分の厚みが２倍になる。
【００１３】
この区分 (Ｄ) および (Ｆ) の２つの中央部(13, 14)にはいずれも、針の身体に穿刺する部分 (枝部) を通すことができる穴(15, 16)が設けられている。この中央部の２倍になっている厚みが、これらの穴に通した針を身体に穿刺する時に針を良好に支持するのを助ける。
【００１４】
図示例では (図１) 、この針はひじ状に曲がった屈曲針であり、皮膚に穿刺する遠方の枝部(17)と、供給のための手前側の枝部(18)とを有し、針を器具に配置するためにつかむのがより容易になるように、手前側の枝部(18)の屈曲部近くにシース (覆い) 区分(19)が設けられている。
【００１５】
図２に示すように、末端パネル (Ｆ) を折り線(5) に沿って折り曲げて、中央パネル (Ｄ) の上に折り重ねた後、重なった穴(15, 16)の中に注入針の穿刺用の遠方の枝部(17)を差し込み (図３) 、反対側の末端パネル (Ａ) を針の手前側の枝部(18)の上に折り重ねる (図５および６) ことにより、針を所定位置に配置し、かつ器具内に保持することができる。この末端パネル (Ａ) が、針の方を向く側の面に、針のシース区分(19)と屈曲部とを収容する凹部(6) を有することが有利である。図示例では、末端パネル (Ａ) を折り返す前に、反対側の末端パネル (Ｆ) に設けた横方向の取っ手部(9, 10) を折り曲げて上向きに起こす。また、折り返された末端パネル（Ａ）を他方の末端パネル（Ｆ）に接着剤等の手段で固定する。
【００１６】
この器具の皮膚への配置、即ち、この器具を用いて針を皮膚に穿刺する操作は次のように行われる。まず、この器具を取っ手部(9, 10) の部分で手に取り (図７) 、針の遠方側の穿刺部分(17)により皮膚を穿刺するように、器具の中央パネル (Ｄ) が皮膚に突き当たるまで器具を皮膚に押し込む。その後、２つの取っ手部(9, 10) を平らに押し広げて横向きウィング部(11, 12)の上にのるようにし、粘着テープ(20)を、こうして平らにした器具と皮膚の上にはりつけ、針と器具を所定位置に保持する (図８) 。
【００１７】
針を引き抜くには、オペレータが粘着テープをはがし、取っ手部(9, 10) を上向きに起こした後、片手で器具の中央区分 (Ｄ) を皮膚に押し付けておきながら、反対側の手で取っ手部を自分の方に引き上げ、針を皮膚から引き抜く (図９) 。この引き抜きの過程の間、器具は折り線によって変形するので、針の穿刺部分(17)は、器具のパネル (Ａ) 〜 (Ｅ) により形成される五角形の空間の内部にずっととどまったままである (図10) 。
【００１８】
本発明は以上に説明した態様に制限されるものではない。特に、器具に変形能を付与する手段は特定の手段に制限されるものではない。例えば、可撓性の壁部材、関節様につながる壁部材、折り線など。
【００１９】
多くの場合、パネルの可撓性 (柔軟性) と折り線の数の組合わせが使用されよう。例えば、折り目３および４は、折り線によって設けることができるが、代わりに中央パネル (Ｄ) の変形能により折り曲げることもできる。その場合には、中央パネル (Ｄ) は、パネル (Ｃ) および (Ｅ) と一緒に１個のパネルを形成することになる。
【図面の簡単な説明】
【図１】本発明に係る器具を形成するために仕上げられる、仕上げ前の平らなブランクの斜視図。
【図２】図１に示すブランクを仕上げる一連の過程の１段階を示す。
【図３】図１に示すブランクを仕上げる一連の過程の次の段階を示す。
【図４】図１に示すブランクを仕上げる一連の過程のその次の段階を示す。
【図５】図１に示すブランクを仕上げる一連の過程のその次の段階を示す。
【図６】図１に示すブランクを仕上げる一連の過程のその次の段階を示す。
【図７】本発明の器具を皮膚に配置する時の２つの操作段階の一つを示す。
【図８】本発明の器具を皮膚に配置する時の２つの操作段階の別の一つを示す。
【図９】針を皮膚から抜き取る時の２つの操作段階の一つを示す。
【図１０】針を皮膚から抜き取る時の２つの操作段階の別の一つを示す。
【符号の説明】
Ａ, Ｂ, Ｃ, Ｅ：リンク部材、但し、Ａ：固定用末端パネル (区分) 、Ｄ：中央またはベースプレート部材、Ｆ：針を支えるプレート部材、Ｚ：固定領域、１〜５：折り線、６：凹部、７, ８：貫通穴、９, 10：取っ手部、11, 12：ウィング部、15, 16：穴、17, 18：針の部分 (枝部) 、19：シース、20：粘着テープ
【図１】
0004304865.tif 000002
【図２】
0004304865.tif 000003
【図３】
0004304865.tif 000004
【図４】
0004304865.tif 000005
【図５】
0004304865.tif 000006
【図６】
0004304865.tif 000007
【図７】
0004304865.tif 000008
【図８】
0004304865.tif 000009
【図９】
0004304865.tif 000010
【図１０】
0004304865.tif 000011